(57)【要約】      （修正有）【課題】しおり紐を容易に取り付けたり、取り外したりできるクリップを提供する。【解決手段】紙を挟むクリップ１の頭部（挟み込む方向とは反対に位置する一端）に、引き輪２やナスかんなどの留め金（アクセサリーの留め金具）を設けたので、該留め金を利用して一つ以上のしおり紐を容易に取り付けたり、取り外したりする事ができる。【選択図】図１
0003136517.tif 000002
【実用新案登録請求の範囲】
【請求項１】
紙を挟むクリップの一端に、留め金（アクセサリーの留め金具）を設けた留め金付クリップ。
【考案の詳細な説明】
【技術分野】
【０００１】  本考案は、紙を挟むクリップの一端にしおり紐を装着するための留め金（アクセサリーの留め金具）を設けた、留め金付クリップに関するものである。
【背景技術】
【０００２】  従来、書籍とは別個のしおりとして、ヘアピン状クリップ又はゼムクリップの頭部に挟持部を形成し、該挟持部を利用して１本以上のしおり紐を挟持連結可能をしておき、該取り付けクリップの先端から書籍などの一部を挿入して装着可能とした着脱式のしおりがあった（特許文献１参照。）。
着脱式しおりにおいて、しおり紐を連結するには、以下の３つの方法があった。
（イ）クリップの頭部にしおり紐を接着固定する。
（ロ）しおり紐の根元にリングを連結固定し、該リングをクリップの頭部まで通して連結する。
（ハ）しおり紐の根元に取り付け用の短い糸又は紐を連結し、クリップの頭部に蝶結びして連結する。
【特許文献１】特開２００４−１４２２７８号
【考案の開示】
【考案が解決しようとする課題】
【０００３】  上記、着脱式のしおりには、次のような欠点があった。
（イ）しおり紐をクリップの頭部に接着固定する方法は、別の色や柄のしおり紐を使いたいと思ったり、しおり紐が汚れたりや破損したりしても、しおり紐の交換は困難であった。
（ロ）しおり紐の根元に連結固定されたリングをクリップの頭部まで通して連結する方法は、該リングが固着されていないので、他の書籍に用いようと取り外した時、クリップの頭部からしおり紐がずり下がってしまい、延いてはクリップから離脱する欠点があった。
（ハ）しおり紐の根元に取り付けようの短い糸又は紐を連結してクリップの頭部に蝶結びして連結する方法は、結び目は時の経過とともに、緩み易い欠点があった。
また、連結する時は解けないようにしっかり結び、取り外す時は容易に解ける、という相反する条件を満たすには指先の器用さが求められ、子供や老人などには困難であった。
【課題を解決するための手段】
【０００４】  本考案は、クリップの頭部（挟み込む方向とは反対に位置する一端）に、しおり紐を装着するための留め金を設けることにより、上記課題を解決するものである。
【考案の効果】
【０００５】  本考案の留め金付クリップは、クリップが書籍や書籍カバーなどの一部を挟むことができるのは勿論、留め金をクリップの頭部に設けたので、しおり紐の取り付けや取り外しが容易にできる。
しかも、しおり紐は留め金で定着されるので、クリップの頭部からずり下がることはない。
また、しおり紐が手元にない場合、木綿糸やナイロン糸など身近にある糸を輪にすれば、即席のしおり紐として利用できるので経済的である。【０００６】  また、前述の即席のしおり紐、すなわち糸輪を適宜の長さにし、ページ間に挟み込んで用いる板状しおりに連結した糸輪付しおりを本考案に装着すれば、しおり紐と同様の効果を得ることができる。これにより、素材・デザイン・色・形・大きさなどが豊富な板状しおりから、落ちる欠点を取り除くことができ、便利である。
【考案を実施するための最良の形態】
【０００７】  以下、本考案の第１実施例を図１に基づき説明する。
（イ）引き輪２を連結輪３に連結する。
（ロ）連結輪３をクリップ１の頭部に固着させる。さらにクリップ１に接している部分を接着固定しても良い。樹脂で固めたり、ハンダ付けしても良い。連結輪３は丸かんなどの金属が適しているが、樹脂でも良いし、糸などの繊維でも良い。【０００８】  本考案の第１実施例は、上述の如き構成からなるものであるから、クリップ１は書籍や書籍カバー８などの一部に挟んで用いることは勿論であるが、引き輪２の引きピン２ａを指で引き、引き軸２ｂを移動させ、開閉部分を開いて引き輪２にしおり紐６の連結輪６ａを挿入し、引きピン２ａを指から離すことにより、引き軸２ｂが戻って環となり、しおり紐６を装着することができる。
また、引き輪２は前後１８０度動かすことが可能なので、クリップ１のどちら側を書籍や書籍カバー８などに挟んでも、しおり紐６をページ間に挟むことができる。【０００９】  図２は第２実施例である。
（イ）クリップ１の頭部まで、引き輪２を通す。引き輪２は回動自在である。
（ロ）引き輪２が頭部からずり落ちないように、引き輪２の左右に、繊維・金属・樹脂などから成る輪４と輪４ａを接着固定する。【００１０】  上述した第１実施例及び第２実施例では、引き輪２を用いたが、その代わりに引き輪１と同じ構造のナスかん５を用いても良いし、クリップに取り付ける事ができ、しおり紐を装着することができれば、どんな留め金でも良い。【００１１】  図３は第３実施例である。
（イ）２つの連結輪３を連結させる。
（ロ）一方の連結輪３をクリップ１の頭部に固着させる。さらに接着固定しても良いし。樹脂で固めたり、ハンダ付けしても良い。
（ハ）他方の連結輪３に、ナスかん５を連結させる。【００１２】  上述した実施例では、ナスかん５を用いているが、これに代えて引き輪２を用いても良いし、クリップに取り付けることができ、しおり紐を装着することができれば、どんな留め金でも良い。【００１３】  また、前記各実施例では、ゼムクリップを用いているが、紙を挟む事ができ、連結輪３を連結する事ができれば、どのようなクリップでも良し、該クリップに連結輪３を取り付ける場所がなければ、貫通孔を設けて取り付けても良い。【００１４】  図４は、糸などの繊維又は樹脂・金属などでできた連結輪６ａを取り付けたしおり紐６である。【００１５】  図６は第１実施例の使用説明図である。連結輪６ａを引き輪２に挿入して、クリップ１を書籍カバー８に挟み、しおり紐６をページの間に挟んで使用する。図６では、しおり紐６は一つだが必要に応じて、引き輪２に可能な数まで装着することができる。第２及び第３実施例も同じ様に使用する事ができる。【００１６】  しおり紐６が手元にない場合、木綿糸など身近にある糸状のものを輪にしたりして、しおり紐６の代わりに装着すれば、即席のしおり紐となる（図示せず）。
また、該即席のしおり紐すなわち糸輪７ａと糸輪７ｂを適宜の長さにし、上下部に孔を設けた板状しおり７に取り付けたものが、図５に示す糸輪付板状しおりで、図４に示すしおり紐６と同じように、本考案に装着して使用する事ができる。
【図面の簡単な説明】
【００１７】
【図１】本考案の第１実施例を示す斜視図である。
【図２】本考案の第２実施例を示す斜視図である。
【図３】本考案の第３実施例を示す斜視図である。
【図４】しおり紐の斜視図である。
【図５】糸輪付板状しおりの斜視図である。
【図６】本考案の第１実施例の使用説明図である。
【符号の説明】
【００１８】１  クリップ
２  引き輪
２ａ  引きピン
２ｂ  引き軸
３  連結輪
４  輪
５  ナスかん
６  しおり紐
６ａ  連結輪
７  板状しおり
７ａ  糸輪
７ｂ  糸輪
８  書籍カバー
【図１】
0003136517.tif 000003
【図２】
0003136517.tif 000004
【図３】
0003136517.tif 000005
【図４】
0003136517.tif 000006
【図５】
0003136517.tif 000007
【図６】
0003136517.tif 000008